(57)【要約】【課題】  オペレータの作業負担を軽減すると共に装置規模を抑えて２重化された番組収録システムおよび番組収録方法を提供する。【解決手段】  素材管理サーバ１は、現用系のビデオサーバ２Ａへ符号化装置１Ａがコンテンツ供給装置ＣＳから入力して符号化した番組コンテンツの映像信号を記憶装置２２へ書込記憶して収録する第１の収録コマンドと、前記書込中に記憶された符号化映像信号を読み出してビデオサーバ２Ａへ出力するのに合わせて予備系のビデオサーバ２Ｂへその読出された符号化映像信号を書込記憶する第２の収録コマンドとを制御網４を介して両ビデオサーバへ出力する。そしてビデオサーバ１Ａは、記憶装置２２から読み出した符号化映像信号を高速データを送受信するデータリンク５を介してビデオサーバ２Ｂへ出力し、ビデオサーバ２Ｂは、入力した符号化映像信号を自装置の記憶装置２２に書込記憶してコピーする。【選択図】  図１
2007300425.tif 000002
【特許請求の範囲】
【請求項１】
データやコマンドを入力する端末、ＡＰＣ（自動番組送出設備）、スイッチャ、複数の符号化装置とそれに組になって接続される複数のビデオサーバ、コンテンツ供給装置、放送番組のコンテンツの収録管理を行う素材管理サーバ、および上記各構成を接続する制御網と、局内時計とを備え、前記コンテンツ供給装置から送出される放送番組のコンテンツの入出力先が前記スイッチャにより選択され、前記コンテンツが符号化映像信号にされて現用と予備とのビデオサーバに収録される番組収録システムにおいて、
第１、第２の符号化装置と、
前記第１、第２の符号化装置にそれぞれ接続され、その符号化映像信号を書込中に読み出し可能な記憶手段と、前記記憶手段に記憶される符号化映像信号を入出力するＩＯ手段とを備える第１、第２のビデオサーバと、
前記各ビデオサーバのＩＯ手段の間を接続して前記符号化映像信号を入出力するデータリンクと、
前記ＡＰＣが番組時刻表に従って送出を制御する前記放送番組のコンテンツおよび、前記端末から指定されるコンテンツ、および前記符号化装置と前記ビデオサーバに係わるデータを記憶するデータベースと、前記制御網を介して前記端末から入力される前記コンテンツを収録する収録コマンドを受信した場合、前記データベースから所要の時間で前記収録が割り付け可能な現用と予備との２つの前記符号化装置とそれらに組になって接続される２つのビデオサーバを抽出し、前記第１の符号化装置で符号化された前記符号化映像信号を前記第１の符号化装置に接続される第１の前記ビデオサーバの前記記憶装置で書込中に読み出し、前記データリンクを介して第２の前記ビデオサーバの前記記憶装置に入力して書き込み収録する制御を前記制御網を介して行う制御手段とを備える素材管理サーバとを
具備することを特徴とする番組収録システム。
【請求項２】
前記データベースは、
前記素材管理サーバが備える記憶手段の上に管理テーブルとして設けられ、前記局内時計に従う時間区分による放送番組のコンテンツとそれに係わる前記符号化装置および前記ビデオサーバの使用予定が管理されていることを特徴とする請求項１記載の番組収録システム。
【請求項３】
前記ＡＰＣが管理記憶する番組時刻表データが前記制御網を介して前記素材管理サーバへ送信され、
前記素材管理サーバは前記受信した番組時刻表データを元に前記管理テーブルに前記放送番組のコンテンツと、当該番組の送出に係わる装置をリストにし、
そのリストに前記端末から入力される番組収録に係わる装置の使用予定が書き加えられる事を特徴とする請求項２記載の番組収録システム。
【請求項４】
前記素材管理サーバが前記制御網を介して前記端末から収録する前記放送番組のコンテンツの名称が入力された場合、
前記素材管理サーバは、前記管理テーブルを参照して当該コンテンツの放送時刻からそのコンテンツの収録に要する時間を判読するとともに、前記管理テーブルから前記符号化装置の使用予定を読み出して、前記収録に要する時間の時刻に使用予定の無い前記符号化装置を探し出すことにより、番組収録を行う前記符号化装置とそれに接続されるビデオサーバとの候補を割り付けることを特徴とする請求項３記載の番組収録システム。
【請求項５】
前記符号化装置と前記ビデオサーバとの間は、ＴＣＰ／ＩＰ手順に準じる通信プロトコルとインタフェースにより符号化映像信号が伝送されるもので有ることを特徴とする請求項１記載の番組収録システム。
【請求項６】
前記符号化装置と前記ビデオサーバと、前記データリンクとは、ＴＣＰ／ＩＰ手順に準ずる通信プロトコルとインタフェースにより符号化映像信号が伝送される共通な伝送路で有ることを特徴とする請求項１記載の番組収録システム。
【請求項７】
データやコマンドを入力する端末、ＡＰＣ（自動番組送出設備）、スイッチャ、複数の符号化装置とそれに組になって接続される複数のビデオサーバ、コンテンツ供給装置、放送番組のコンテンツの収録管理を行う素材管理サーバ、および上記各構成を接続する制御網と、局内時計とを備え、前記コンテンツ供給装置から送出される放送番組のコンテンツの入出力先が前記スイッチャにより選択され、前記コンテンツが符号化映像信号にされて現用と予備とのビデオサーバに収録される番組収録システムの番組収録方法において、
前記端末から前記コンテンツの収録に係るコマンドが前記制御網を介して前記素材管理サーバへ送信され、
前記素材管理サーバは、前記ＡＰＣが送出を制御する前記放送番組のコンテンツおよび、前記端末から指定されるコンテンツ、および前記符号化装置と前記ビデオサーバとに係るデータをデータベース化し、
前記端末から前記制御網を介して前記収録に係わるコマンドを受信した場合、
前記データベースから所要の時間内で当該コンテンツの収録が可能な現用と予備との２つの符号化装置を抽出し、一方の前記符号化装置に接続される前記ビデオサーバへ前記一方の符号化装置が前記コンテンツ供給装置から入力して符号化した符号化映像信号を自装置の記憶装置へ書込記憶して収録する第１の収録コマンドと、前記一方の符号化装置が前記書込中に記憶した前記符号化映像信号を読み出して他方の前記ビデオサーバへ出力するのに合わせて他方の前記ビデオサーバへその読出された符号化映像信号を書込記憶する第２の収録コマンドとを前記制御網を介して前記両ビデオサーバへ出力し、
前記両収録コマンドを入力した前記第１のビデオサーバは、自装置の記憶装置から読み出した前記符号化映像信号を高速データを送受信するデータリンクを介して前記他方のビデオサーバへ出力し、
前記第２のコマンドを入力した前記他方のビデオサーバは、前記データリンクを介して入力された前記符号化映像信号を自装置の記憶装置に書込記憶してコピーすることを特徴とする番組収録システムの番組収録方法。
【請求項８】
前記データベースは、
前記素材管理サーバが備える記憶手段の上に管理テーブルとして設けられ、前記局内時計に従う時間区分による放送番組のコンテンツとそれに係わる前記符号化装置および前記ビデオサーバの使用予定が管理されていることを特徴とする請求項７記載の番組収録システムの番組収録方法。
【請求項９】
前記ＡＰＣが管理記憶する番組時刻表データが前記制御網を介して前記素材管理サーバへ送信され、
前記素材管理サーバは前記受信した番組時刻表データを元に前記管理テーブルに前記放送番組のコンテンツと、当該番組の送出に係わる装置をリストにし、
そのリストに前記端末から入力される番組収録に係わる装置の使用予定が書き加えられる事を特徴とする請求項８記載の番組収録システムの番組収録方法。
【請求項１０】
前記素材管理サーバが前記制御網を介して前記端末から収録する前記放送番組のコンテンツの名称が入力された場合、
前記素材管理サーバは、前記管理テーブルを参照して当該コンテンツの放送時刻からそのコンテンツの収録に要する時間を判読するとともに、前記管理テーブルから前記符号化装置の使用予定を読み出して、前記収録に要する時間の時刻に使用予定の無い前記符号化装置を探し出すことにより、番組収録を行う前記符号化装置とそれに接続されるビデオサーバとの候補を割り付けることを特徴とする請求項９記載の番組収録システムの番組収録方法。
【請求項１１】
前記符号化装置と前記ビデオサーバとの間は、ＴＣＰ／ＩＰ手順に準じる通信プロトコルとインタフェースにより符号化映像信号が伝送されるもので有ることを特徴とする請求項７記載の番組収録システムの番組収録方法。
【請求項１２】
前記符号化装置と前記ビデオサーバと、前記データリンクとは、ＴＣＰ／ＩＰ手順に準ずる通信プロトコルとインタフェースにより符号化映像信号が伝送される共通な伝送路で有ることを特徴とする請求項７記載の番組収録システムの番組収録方法。
【発明の詳細な説明】
【技術分野】
【０００１】
本発明は、放送局の放送番組コンテンツの番組収録システムおよびその処理方法に関する。
【背景技術】
【０００２】
放送局の放送番組の映像信号を記録、送出する番組収録システムは、放送事故を防ぐため２重化システムで運用されており、ドラマや報道記録番組では、オリジナルコンテンツが放送番組送出用に編集されたコンテンツが現用と予備系との２つのビデオサーバに保存される。従来は、ＶＴＲの様なコンテンツ源から、それぞれのサーバ毎に２重化の両系統に準備される符号化装置を介して符号化された映像信号を記録している。（例えば、特許文献１。）。
【０００３】
図７は、従来の番組収録システムの系統図である。  
図７において従来の番組収録システムは、素材管理サーバ１００、２重化の一方の系統のビデオサーバ２０１とそのビデオサーバに接続される一方の系統の入力用の符号化装置（以下、ＥＮＣと略す。）１１Ａと他方の入力系統のＥＮＣ１１Ｂ、他方の系統のビデオサーバ２０２と、それに接続される符号化装置１２Ａ、１２Ｂ、ビデオサーバ２０１とコンテンツの収録管理を行うためのデータや、コマンドを入力する端末３０と、これらの各構成の間を接続して各構成の制御や動作監視をする制御情報を伝送する制御網４０とを備えている。
【０００４】
ビデオサーバ１００は、番組収録を行うコンテンツとその記憶先となるビデオサーバ、およびビデオサーバに接続して使用される符号化装置等の組み合わせを照合可能にして収録管理を行うサーバ装置である。この管理に必要な装置の組み合わせ、使用時間のデータ、コマンドの制御情報等は、端末３０からオペレータによって入力される。
【０００５】
この番組収録システムには、番組のコンテンツや放送時刻等の番組放送の全体管理を行うデータサーバＤＳと、番組のコンテンツを供給するＶＴＲ等のコンテンツ供給装置ＣＳ（＃１〜＃ｎ）、データサーバＤＳから供給される番組時刻表に従って番組送出制御を行うＡＰＣ（番組自動送出設備）ＣＣ、スイッチャＳＷが接続され、これらの各装置も前出の制御網４０に接続されて、相互に制御情報を送受信している。
【０００６】
スイッチャＳＷは、端末３０から入力されるコマンドに従って、複数のコンテンツ供給装置ＣＳの中から、コマンド指定のコンテンツを出力するコンテンツ供給装置ＣＳ（＃１〜＃ｎ）を選択してその出力信号を指定のビデオサーバに向けて出力する切替を行う。
【０００７】
番組収録システムは、データサーバＤＳから提供される番組とそのコンテンツを現用系のビデオサーバ２０１と予備系のビデオサーバ２０２とにそれぞれ、同じ内容の映像情報を記憶保存（収録）する。ビデオサーバ２１０、２０２で収録する映像情報、即ち、番組放送のコンテンツは、データサーバＤＳから出力される番組時刻表に含まれるか、又は、素材管理サーバ１００によってコンテンツ供給装置ＣＳのどれから出力されるか（ここでは＃１）が予め記憶されている。
【０００８】
番組収録システムのオペレータは、端末３０により素材管理サーバ１００から番組時刻表に設定された所要の放送番組の時刻表を読み出すことにより、２重化用のビデオサーバにコピーをするコンテンツを記憶しているコンテンツ供給装置ＣＳ（ここでは（＃１）とする。）の識別情報を取得する。
【０００９】
また、通常、符号化装置や、ビデオサーバ等の装置は、１つの放送局のスタジオ内には多数の装置が準備され、オンエア以外にも番組収録作業に使用される。そして、オペレータは、上記のオンエア時のほか、番組収録等の使用予定が無い装置を探して端末３０から、所要の作業に用いる現用、予備、それぞれの機器を設定する識別情報等のデータを制御網４０を介して素材管理サーバ１００に入力していた。
【００１０】
そして、オペレータから各種のデータを入力された端末３０は、例えば、コンテンツ供給装置ＣＳ（＃１）の接続先を、現用、予備のビデオサーバ２０１、２０２とそれらに接続される符号化装置１１Ａ、１１Ｂとを設定するデータを制御網４を介して素材管理サーバ１００へ出力する。そして素材管理サーバ１００は、このデータを管理表Ｈにして内部の記憶装置で記憶し、自装置、又は端末３０のディスプレイ（図示せず）でオペレータにその管理表Ｈを表示する。
【００１１】
図８は、従来の番組収録システムにおいて、番組収録を管理使用するのに用いられる管理表の表示例である。  
図８に示される管理表Ｈでは、１０：００から１１：００の間では、コンテンツ「ＸＹＺ９８７」は、コンテンツ供給装置ＣＳ（＃１）に保存され、現用、予備のビデオサーバは、ビデオサーバ２０１、２０２であること、符号化装置１１Ａ、１１Ｂがそれぞれビデオサーバ２０１、２０２へ入力される映像信号を符号化する為に使用される作業割付が示されている。
【００１２】
現用と予備の関係が逆の関係で有れば、図８中の（  ）で表示された部分の組み合わせとなる。従来は、符号化装置（ＥＮＣ）は、現用と予備系統それぞれの為に準備されるため、ビデオサーバ１台毎に２台が使用されている。
【００１３】
素材管理サーバ１００は、スイッチャＳＷを介してコンテンツ供給装置ＣＳ（＃１）からコンテンツの映像信号を出力する。また、スイッチャＳＷの接続元をコンテンツ供給装置ＣＳ（＃１）、その接続先を符号化装置１１Ａ、１１Ｂとし、更に現用、予備のビデオサーバ２０１、２０２に映像信号が入力される制御を行う。その結果、ビデオサーバ２０１、２０２にコンテンツ供給装置ＣＳ（＃１）から出力される同じコンテンツの映像信号が符号化されて記憶される。
【００１４】
２つのビデオサーバにコンテンツを記憶するには、コンテンツ供給装置ＣＳ（＃１）から同一番組コンテンツを２回繰り返してコピーを行う場合には、コンテンツのコピー時間が２倍かかる。また、上述の如く、装置の割付指定をオペレータが装置の使用状態を調べ、使用予定がない装置を指定しなければならずオペレータに負担がかかること、また、符号化装置が現用と予備との両系統に必要なため、番組収録システム装置コストが嵩む問題が有った。
【特許文献１】特開２００１−２１６０９３号公報  （第７頁、第１図）
【発明の開示】
【発明が解決しようとする課題】
【００１５】
従来の番組収録システムでは同一番組コンテンツを、オペレータが使用予定がない２台のビデオサーバを探しだし、それらを現用と、予備用としてコンテンツ源からそれぞれコピーしなければならなかった。その結果、コンテンツのコピー時間がかかり、符号化装置が両系統のビデオサーバ毎に必要なため、番組収録システム装置コストが嵩む問題があった。
【００１６】
本発明は上記問題を解決するためになされたもので、オペレータの入力作業を軽減し、装置規模を抑えて２重化された番組収録システム、および番組収録方法を提供することを目的とする。
【課題を解決するための手段】
【００１７】
上記目的を達成するために、本発明の番組収録システムは、データやコマンドを入力する端末、ＡＰＣ（自動番組送出設備）、スイッチャ、複数の符号化装置とそれに組になって接続される複数のビデオサーバ、コンテンツ供給装置、放送番組のコンテンツの収録管理を行う素材管理サーバ、および上記各構成を接続する制御網と、局内時計とを備え、前記コンテンツ供給装置から送出される放送番組のコンテンツの入出力先が前記スイッチャにより選択され、前記コンテンツが符号化映像信号にされて現用と予備とのビデオサーバに収録される番組収録システムにおいて、第１、第２の符号化装置と、前記第１、第２の符号化装置にそれぞれ接続され、その符号化映像信号を書込中に読み出し可能な記憶手段と、前記記憶手段に記憶される符号化映像信号を入出力するＩＯ手段とを備える第１、第２のビデオサーバと、前記各ビデオサーバのＩＯ手段の間を接続して前記符号化映像信号を入出力するデータリンクと、前記ＡＰＣが番組時刻表に従って送出を制御する前記放送番組のコンテンツおよび、前記端末から指定されるコンテンツ、および前記符号化装置と前記ビデオサーバに係わるデータを記憶するデータベースと、前記制御網を介して前記端末から入力される前記コンテンツを収録する収録コマンドを受信した場合、前記データベースから所要の時間で前記収録が割り付け可能な現用と予備との２つの前記符号化装置とそれらに組になって接続される２つのビデオサーバを抽出し、前記第１の符号化装置で符号化された前記符号化映像信号を前記第１の符号化装置に接続される第１の前記ビデオサーバの前記記憶装置で書込中に読み出し、前記データリンクを介して第２の前記ビデオサーバの前記記憶装置に入力して書き込み収録する制御を前記制御網を介して行う制御手段とを備える素材管理サーバとを具備することを特徴とする。
【００１８】
また、本発明の番組収録システムの番組収録方法は、データやコマンドを入力する端末、ＡＰＣ（自動番組送出設備）、スイッチャ、複数の符号化装置とそれに組になって接続される複数のビデオサーバ、コンテンツ供給装置、放送番組のコンテンツの収録管理を行う素材管理サーバ、および上記各構成を接続する制御網と、局内時計とを備え、前記コンテンツ供給装置から送出される放送番組のコンテンツの入出力先が前記スイッチャにより選択され、前記コンテンツが符号化映像信号にされて現用と予備とのビデオサーバに収録される番組収録システムの番組収録方法において、前記端末から前記コンテンツの収録に係るコマンドが前記制御網を介して前記素材管理サーバへ送信され、前記素材管理サーバは、前記ＡＰＣが送出を制御する前記放送番組のコンテンツおよび、前記端末から指定されるコンテンツ、および前記符号化装置と前記ビデオサーバとに係るデータをデータベース化し、前記端末から前記制御網を介して前記収録に係わるコマンドを受信した場合、前記データベースから所要の時間内で当該コンテンツの収録が可能な現用と予備との２つの符号化装置を抽出し、一方の前記符号化装置に接続される前記ビデオサーバへ前記一方の符号化装置が前記コンテンツ供給装置から入力して符号化した符号化映像信号を自装置の記憶装置へ書込記憶して収録する第１の収録コマンドと、前記一方の符号化装置が前記書込中に記憶した前記符号化映像信号を読み出して他方の前記ビデオサーバへ出力するのに合わせて他方の前記ビデオサーバへその読出された符号化映像信号を書込記憶する第２の収録コマンドとを前記制御網を介して前記両ビデオサーバへ出力し、前記両収録コマンドを入力した前記第１のビデオサーバは、自装置の記憶装置から読み出した前記符号化映像信号を高速データを送受信するデータリンクを介して前記他方のビデオサーバへ出力し、前記第２のコマンドを入力した前記他方のビデオサーバは、前記データリンクを介して入力された前記符号化映像信号を自装置の記憶装置２２に書込記憶してコピーすることを特徴とする。
【発明の効果】
【００１９】
本発明によれば、オペレータの作業負担を軽減すると共に装置規模を抑えて２重化された番組収録システムおよび番組収録方法を提供することができる。
【発明を実施するための最良の形態】
【００２０】
以下、図面を参照して本発明の実施例を説明する。
【実施例】
【００２１】
図１は、本発明の実施例に係わる番組収録システムの系統図である。  
図１において番組収録システムＰＳは、番組収録に係わる装置やコンテンツ情報をデータベース化して管理する素材管理サーバ６、２重化の一方の系統用の符号化装置１Ａと他方の系統の符号化装置１Ｂ、一方の系統のビデオサーバ２Ａと他方の系統のビデオサーバ２Ｂ、コンテンツの収録管理を行うためのデータや、コマンドを入力する端末３、これらの各構成の間を接続して各構成の制御や動作監視をする制御情報を伝送する制御網４、およびビデオサーバ２Ａと２Ｂとの間を接続し映像情報を伝送するデータリンク５とを備えている。
【００２２】
この番組収録システムには、番組のコンテンツや放送時刻等の番組放送の全体管理を行うデータサーバＤＳと、番組のコンテンツを供給するＶＴＲ等のコンテンツ供給装置ＣＳ、データサーバＤＳから供給される番組時刻表に従って番組送出制御を行うＡＰＣ（番組自動送出設備）８、スイッチャ７とがあり、これらの各装置も前出の制御網４に接続されて、相互に制御情報を送受信していることは従来の番組収録システムと同様である。
【００２３】
また、放送局内の各装置の動作基準となる局内時計９が設けられ、それから時刻情報が各装置に制御網４等のネットワークに接続されて出力されるか、又は、図示されないが各装置の内部時計と同期して動作している。
【００２４】
なお、図１では、符号化装置とビデオサーバはそれぞれ２台が描かれているが、更に図示されない複数の符号化装置とビデオサーバとが備えられている。符号化装置１Ａ．．は、コンテンツ供給装置ＣＳから出力される原素材の映像信号を、例えばＭＰＥＧ２等の圧縮符号化を行いビデオサーバへ出力し、ビデオサーバ２Ａ．．は、圧縮符号化された映像信号を自分の記憶装置に記憶する。
【００２５】
本実施例の番組収録システムでは、現用と予備のビデオサーバ２Ａ、２Ｂとの間で符号化映像信号をデータリンク５を介して授受してコピーを行うことにより、符号化装置の台数を節約している。
【００２６】
制御網４は、例えば、ＴＣＰ／ＩＰ手順による通信ネットワーク、又は、伝送路である。
【００２７】
符号化装置１Ａ．．とビデオサーバ２Ａ．．との間も符号化された映像信号が高速のデータとして伝送される。データリンク５も符号化装置と、ビデオサーバとの間で入出力される同じ符号化の映像信号が入出力（送受信）される。の高速データ伝送路は、専用の高速データリンク、又は、ギガビットイーサ（登録商標）の様なデータバスである。
【００２８】
従って、符号化装置の出力とビデオサーバの符号化映像は、伝送容量に余裕が有れば、ギガビットイーサ（登録商標）の様な共通な伝送路（言い換えれば、データバス）のデータリンク５を介して接続されるものであっても良い。この場合、各符号化装置とビデオサーバは、ＩＰアドレスによって行き先が制御され、伝送路の構成を簡略にすることが出来る。
【００２９】
素材管理サーバ６は、番組収録を行うコンテンツや、その記憶先となるビデオサーバ、およびビデオサーバに接続して使用される符号化装置等とを組にしたデータベースにして各装置の使用状況の照合を可能にして収録管理を行うサーバ装置である。この管理に必要なデータ、コマンド等の制御情報は、端末３からオペレータによって入力され、その制御情報が制御網４を介して入力される。
【００３０】
素材管理サーバ６は、収録に使用する番組収録システム中の装置や機器の使用状態を管理テーブルのデータベースにして後述の記憶部に記憶し、オペレータからコンテンツの収録コマンドが入力されると、コピー作業等の番組収録に充当可能な符号化装置とビデオサーバとの組を管理テーブルから検索することにより探し出して割り当てる。従来の素材管理サーバでは、この様な検索、割当の機能を有していなかった。
【００３１】
各装置の使用予定の情報は、端末３からオペレータによって入力され、素材管理サーバ６の記憶部に書き込み保存される方法、又は、素材管理サーバ６が、制御網４を監視してＡＰＣ８が送出する番組時刻情報から、各装置の動作予定時間を取得して素材管理サーバ６の記憶部に書き込み保存される方法、もしくは、端末３からコンテンツ名が入力されると、そのコンテンツ名の番組の放送時間や使用装置をＡＰＣ８に問い合わせて、ＡＰＣ８が管理する番組送出情報から取得するなどの方法がとられる。
【００３２】
また、番組コンテンツの原素材の名称とそれが供給されるコンテンツ供給装置ＣＳ（＃１〜＃ｎ）との対応関係は、元々ＡＰＣ８によって管理されている。そして、この対応関係は、原素材がコンテンツ供給装置ＣＳ（＃１〜＃ｎ）のいずれかに書込み記憶されるときに、ＡＰＣ８から素材管理サーバ６へ制御網４を介して通知されるなど、所定の手順で後述の素材管理サーバ６の記憶装置２４に記憶される。
【００３３】
以下の説明では、従来の番組収録システムと同様な動作等は、説明を省略し、本発明の実施例に係わる新たな動作処理等を説明する。
【００３４】
図２は、素材管理サーバの動作を説明する機能ブロック図、図３は、本発明の実施例のビデオサーバの機能ブロック図ある。  
以下、図２、図３により素材管理サーバとビデオサーバの動作処理の概要を説明する。  図２において、素材管理サーバ６は、それぞれの間が内部バスＢ等で接続された通信ＩＦ（インタフェース）６１、制御部６２、入出力部６３、記憶部６４、記憶部６４上で処理され入出力部６３のディスプレイに表示される管理テーブルＴを備えている。
【００３５】
通信ＩＦ６１は、制御網４に接続され、オペレータによって端末３から入力された制御データを受信し、内部バスＢに出力すると共に、制御部６２が出力する各装置へのコマンド等の制御信号を制御網４を介して出力する。
【００３６】
制御部６２は、端末３から入力される符号化装置１Ａ、１Ｂ．．やビデオサーバ２Ａ、２Ｂ．．の割付を記憶部６４の管理テーブルＴとの間で書込、読み出し等の処理を行う。そして、管理テーブルＴとオペレータから入力されたコマンドとを照合し、所要の収録作業を行う各装置を選択する。
【００３７】
この割付の対象となる符号化装置１Ａ、１Ｂ．．やビデオサーバ２Ａ、２Ｂ．．は、番組収録のみならず、放送番組のオンエア時にも使用される。従って、素材管理サーバ６の制御部６２は、番組収録作業以外の使用予定を把握して管理テーブルＴに書き込み記憶しなければならない。この使用予定の管理は、オペレータが端末３により制御網４を介して自動番組送出設備ＣＣから番組時刻表に従ってスタジオ内の装置を制御する情報を取得し、オペレータからその取得した情報が素材管理サーバ６に再入力する方法が従来採られているがオペレータへの負担が大きい。
【００３８】
そこで、負担を減らす方法として、ＡＰＣ８から各装置には、あらかじめ動作予定時刻が制御情報として制御網４を介して送信されるので、制御部６２は、その情報を監視して、符号化装置（ＥＮＣ）１Ａ、１Ｂ．．やビデオサーバ２Ａ、２Ｂ．．の使用予定を読み取り、管理テーブルＴに各装置の使用予定を書き込む方法がある。
【００３９】
また、別の方法として、端末３からコンテンツ名や、時間情報が入力されると、制御部６２は、ＡＰＣ８が管理している番組時刻表を制御網４等を介して読み出し、そこに記憶されている時刻に充当されている装置の名称を取得するものであっても良い。
【００４０】
この番組時刻表のデータは、記録媒体によって、ＡＰＣ８から後述の素材管理サーバ６の入出力部６３の図示されない記憶媒体入出力手段によって受け渡されるか、又は、制御網４を介してＡＰＣ８から素材管理サーバ６へ送信されることによって受け渡される。
【００４１】
制御部６２は、以上のように作成した管理テーブルＴを図示されない内部時計と参照して、コンテンツ供給装置ＣＳからコンテンツの出力タイミング等の制御、コンテンツ供給装置ＣＳや、符号化装置の選択コマンドを生成してスイッチャ７を制御する制御信号を通信ＩＦ６１と制御網４とを介してスイッチャ７へ送信する。また、コンテンツ供給装置、符号化装置、ビデオサーバ等の動作開始や、終了等のタイミング制御を行うコマンドや制御情報も同様に制御網４を介して所定の装置へ送信する。
【００４２】
更にまた、制御部６２は、管理テーブルＴを入出力部６３のディスプレイ上に表示する等の制御も行う。
【００４３】
図３において、ビデオサーバ２Ａ．．は、ＣＰＵ２１、記憶装置２２、通信ＩＦ（インタフェース）２３、ＩＯ（入出力）部２４ｉ、２４ｏ、内部バス２５、復調部２６とを備えている。
【００４４】
通信ＩＦ２３は、素材管理サーバ６の通信ＩＦ６１と同様の制御網４との間のインタフェース機能を有している。ＣＰＵ２１は、内部バス２５を監視し、この通信ＩＦ２３を介して入力される制御信号やコマンドに従って、動作開始、終了を行うと共に、ＩＯ部２４ｉ、２４ｏを介して符号化映像信号を入出力したり、記憶装置へ書込記憶、又は読み出し、復号化する等の制御を行う。
【００４５】
ＩＯ部は、例えば、高速イーサネット（登録商標）の様な高速デジタルデータリンクとの間の信号入出力インタフェースである。ＩＯ部は、入力と出力との機能を１つの回路で処理するものでも良いが、ここでは、説明の利便上、入力インタフェースと出力インタフェースとに分けそれぞれ符号を「２４ｉ」、「２４ｏ」と付与することによって区別する。
【００４６】
記憶装置２２は、ＨＤ（ハードディスク）、半導体メモリ等の書込中再生が可能な記憶媒体であり、ＣＰＵ２１の制御により符号化された映像信号フォーマットでコンテンツを記憶、読み出しを行う。
【００４７】
後述の様に、現用系に指定されたビデオサーバ２Ａには、図３の様に符号化装置１Ａで圧縮符号化された映像信号がデータリンク５を介してＩＯ部２４ｉから入力される。原則として、ビデオサーバと符号化装置とは、ビデオサーバ１Ａと符号化装置２Ａの様に固定された対応付けがなされる。なお、符号化装置がビデオサーバに内蔵されることもあるが、ここでは、独立した構成であるものとしている。
【００４８】
入力された圧縮符号化映像信号は、ＣＰＵ２１の書込制御により内部バス２５を介し記憶装置２２へ書込記憶される。そして、ＣＰＵ２１は、図示されない内部時計（、又は内部タイマ）を監視し、例えば、１０秒間経過した後に記憶装置２２へ書込んだ映像情報を読み出して、ＩＯ部２４ｏからデータリンク５を介して他方の予備系のビデオサーバ２Ｂへ向けて出力する。
【００４９】
一方、予備系のビデオサーバ２Ｂは、データリンク５を介してビデオサーバ１Ａから入力される圧縮符号化映像信号をＩＯ部２４ｉから入力する。そして、現用系のビデオサーバ２Ａと同様にビデオサーバ２Ｂの記憶装置２２へ書込記憶することによってコピーし、同じコンテンツの圧縮符号化映像信号が現用と予備の２台のビデオサーバ２Ａ、２Ｂへ収録される。
【００５０】
図４は、素材管理サーバ６が番組を収録管理する為の管理テーブルの例、図５は、管理テーブル内の番組時刻表、図６は、本発明の実施例に係わる番組収録システムの動作処理手順を示すフローチャートである。  
以下、図４、図６を参照しながら番組収録システムＰＳの動作処理手順を説明する。
【００５１】
図４（ａ）は、オペレータが端末３から番組収録の設定開始時に作業時間を入力した直後の表示画面である。図４（ｂ）は、コピーするコンテンツを指定する入力をした直後の表示画面、図４（ｃ）は、入力されたデータを元に、素材管理サーバ６が機器割付を行った内容の表示画面である。なお、管理テーブルＴで“ＥＮＣ”と記されているのは符号化装置を意味する。
【００５２】
また、図５の番組時刻表ＴＢでは、管理テーブルＴの一部としてＡＰＣ８が番組送出を行う番組時刻表と一致するコンテンツ名とその番組の放送時刻とそのコンテンツに送出する各装置の動作予定が記入された記録管理される。図４の管理テーブルＴでは表現されていないが、コンテンツ名が入力されると制御部６２は、番組時刻表ＴＢからそのコンテンツの番組が放送される時刻や、使用予定の装置の識別情報がＡＰＣ８と同様に取得できる。また、前述のように管理テーブルＴＢに番組時刻表を設けない（又は記憶していない）場合は、ＡＰＣ８へ制御網４を介して各装置の使用予定を確認する様にしても良い。
【００５３】
図５では、１０：４５からは、取材記録が、コンテンツ名「ＲＥＰ０９６５」、コンテンツ供給装置は、「ＣＳ＃４」、現用、予備のビデオサーバ２Ｆ、２Ｇの用予定が分かる。また、１１：５０からの番組予告（案内）は、コンテンツ名が「ＧＵＩＤ２２」でコンテンツ供給装置が「ＣＳ＃４」であるものの、現用、予備のビデオサーバが未定なことが分かる。
【００５４】
さて、オペレータによって、図４（ａ）に示される様に番組収録作業を開始するため、端末３から管理テーブルＴの読み出しコマンドが入力される。素材管理サーバ６の制御部６２は、制御網４を介してこのコマンドを受信すると、記憶部６４から管理テーブルＴを読み出す。そして、素材管理サーバ６の入出力部６３のディスプレイに記憶部６４から読み出された管理テーブルＴが表示される（図６のステップｓ１）。
【００５５】
この読み出された管理テーブルＴの情報の表示については、上記方法の他に、制御網４を介して端末３へ返送され、そのディスプレイにも表示されるものであっても良い。
【００５６】
続いてオペレータから番組時刻表ＴＢに記された番組内容から判読された１時間のコンテンツの収録時間として作業開始と終了の時刻「１０：００」、「１１：００」が入力される（ステップｓ２）。
【００５７】
制御部６２は、この時刻情報を読み取ると前述の如く記憶部６４に記憶している装置の使用予定を検索し、その結果を入力指定された前後の時間を含めて番組収録に係わる装置を管理テーブルＴの「使用予定ＥＮＣ」、「使用予定ビデオサーバ」の欄に表示する。
【００５８】
次にオペレータによって、収録するコンテンツ「ＡＢＣ００１」が入力される（ステップｓ３）。
【００５９】
制御部６２は、あらかじめコンテンツ「ＡＢＣ００１」の供給源がコンテンツ供給装置ＣＳ（＃１）にあることが、記憶部６４に例えば、「ＡＢＣ００１：ＣＳ＃１」の様に記憶されているので、「コンテンツ欄」と「コンテンツ供給装置」の欄に「ＡＢＣ００１」、「ＣＳ＃１」が書込み表示される。
【００６０】
もし、記憶されていない場合は、制御部６２は、制御網４を介してＡＰＣ８からのコマンドに対して、例えば、「ＡＢＣ００１：？？」のような問い合わせメッセージを送り、その回答としてＡＰＣ８から送信されるコマンド「ＡＢＣ００１：ＣＳ＃１」を記憶装置１４に書き込むとともに管理テーブルＴの「コンテンツ供給装置」の欄に「ＣＳ＃１」を書き込む（ステップｓ４）。
【００６１】
また制御部６２は、あらかじめ登録されている符号化装置のリストから「使用予定ＥＮＣ」に記載されていない「符号化装置１Ａ」を番組収録作業に使用する装置の候補として抽出し、管理テーブルＴの「ＥＮＣ現用」の欄に書き込み表示する（ＥＮＣは、符号化装置の略である。）（ステップｓ５）。
【００６２】
続いて、制御部６２は、管理テーブルＴを検索してその時間帯に同様に使用予定が無い「符号化装置１Ｂ」を予備用の符号化装置として抽出し「ＥＮＣ予備」に書き込み、図４（ｃ）の様に書き込んで管理テーブルＴを更新し、記憶部６４へ書き込み記憶する（ステップｓ６）。
【００６３】
制御部６２は、この更新した管理テーブルＴと、放送局の局内時計（図示せず）と同期した内部時計（図示せず）等の時刻情報とを照合する（ステップｓ７）。
【００６４】
そして、１０：００に先駆けて、所定のタイミングでコンテンツ供給装置ＣＳの出力が符号化装置１Ａに入力されるコマンドを制御網４を介してスイッチャ７に送信する（ステップｓ８）。
【００６５】
また、１０：００にコンテンツ供給装置ＣＳ（＃１）からコンテンツ「ＡＢＣ００１」を出力するコマンドと、符号化装置１Ａに入力される映像信号を符号化してビデオサーバ２Ａに出力するコマンドと、ビデオサーバ２Ａに入力される符号化映像信号（ここで、番組信号１と名付ける。）を記憶装置２２に書き込むコマンドとを（以上、３つのコマンドをここでは、便宜上第１収録コマンドと称する。）制御網４に出力する（ステップｓ９）。
【００６６】
そして、符号化装置１Ａは、コンテンツ供給装置ＣＳ（＃１）からスイッチャ７を介して入力されるコンテンツ「ＡＢＣ００１」の映像信号を符号化してビデオサーバ２Ａに出力し、符号化装置１Ａ入力ビデオサーバ２ＡのＣＰＵ２１は、符号化装置１Ａから入力される映像信号を番組信号として記憶装置２２に書き込み記憶する（ステップｓ１０）。
【００６７】
続いて制御部６２は、第１収録コマンドに続いて、ビデオサーバ２Ａに記憶装置２２に書込記憶中の符号化映像信号、即ち番組信号を読み出してビデオサーバ２ＡのＩＯ部２４ｏを介して、言い換えれば、データリンク５を介してビデオサーバ２Ｂへ出力するコマンドと、ビデオサーバ２Ｂに、ビデオサーバ２ＢのＩＯ部２４ｉを介して入力される番組信号をビデオサーバ２Ｂの記憶装置２２へ書込記憶するコマンド（以上２つのコマンドを第２収録コマンドと称する。）とを制御網４を介して出力する（ステップｓ１１）。
【００６８】
ビデオサーバ２Ｂは、データリンク５からＩＯ部２４ｉを介して入力される番組信号１を記憶装置２２へ書込み記憶することによりコピーされた番組信号を作成する（ステップｓ１２）。そして、素材管理サーバ６は、ビデオサーバ２Ａからビデオサーバ２Ｂへの映像信号送出を監視し、番組信号のコピー作成を完成すると所定の手順で当該番組信号の収録作業を終了する。
【００６９】
なお、ビデオサーバ２Ａで第１収録コマンドで書込記憶中の番組信号を第２収録コマンドで、読み出し出力するまでの時間（タイミング）は、予め記録中再生出力のパラメータとしてビデオサーバ２Ａ、２Ｂ．．に例えば、１０秒間の様に設定される。
【００７０】
これらの収録コマンドは、素材管理サーバ６から当該動作を開始するタイミングの直前に送信される。また、別の方法として、上記符号化装置やビデオサーバがリアルタイムプロセッサのような機能を有するものであれば、上述の動作手順のプログラムを記憶し、図示されない内部時計、又は、局内時計９の時刻情報を参照して所定の時刻に動作する様に、動作タイミングに先駆け、例えば、１日以上前に送信されるものであっても良い。
【００７１】
また、上記の動作手順説明では、コピー（収録）作業の時間をオペレータが入力しその時間で開いている装置を検索する方法を説明した。
【００７２】
また、他の方法としてオペレータが端末３へコンテンツと符号化装置、又はビデオサーバを指定する収録コマンドと情報を入力し、そのコマンドを制御網４を介して重臣した素材管理サーバ６の制御部６２が、コンテンツの収録に必要な時間を官吏テーブルTから調べ、更に管理テーブルＴから当該装置の空き時間を探してコピーを行うものであっても良い。特に符号化装置や、ビデオサーバの数に制限が有る場合にこの方法が適している。
【００７３】
さらに、このコピーコマンドが、コンテンツ名称を指定するだけのものであっても制御部６２は、管理テーブルＴを参照するか、またはＡＰＣ８の番組時刻表を読み出して番組の放送時間から収録に必要な時間を判読することが出来る。
【００７４】
例えば、“ＱＲＺ４５６”と入力されたコンテンツは、ＡＰＣ８から取得した番組時刻表では３０分番組であり、管理テーブルＴには、コンテンツ名と放送時間（例えば、１９：３０〜２０：００）が記入されているだけで収録する符号化装置等は、未定で空欄のままであるとする。
【００７５】
図４には記載していないが、制御部６２は、１４：００〜１５：００を収録作業の第一候補として仮設定し、その時間で使用予定の無い符号化装置とビデオサーバとをテーブルＴから探し出す。そしてこの時間に使用予定の無い例えば、符号化装置１Ｃ、１Ｄとビデオサーバ２Ｃ、２Ｄとのそれぞれ２台の組み合わせが見つかれば、それ等を現用と予備の装置に設定してテーブルＴに書き込むことにより、１４：００〜１５：００にコンテンツ“ＱＲＺ４５６”の収録作業が行われる。
【００７６】
以上説明した如く、従来、現用と予備のビデオサーバには、それぞれ現用と予備の２台の符号化装置が接続され、その何れかから出力される符号化映像信号を記憶装置に収録していたが、本発明の実施例によれば、各ビデオサーバでは各１台の符号化装置が準備されるだけで良く、符号化装置の台数が４台から２台の半分に節約出来、装置規模を抑えることが出来る。
【００７７】
また、使用する符号化装置（ここでは、符号化装置１Ａ、１Ｂ。）の選定方法は、オペレータが管理テーブルＴに表示される使用予定の装置を判読して、使用予定の無い装置を探す代わりに素材管理サーバ６の制御部６２が管理テーブルＴを参照して使用可能な装置を探し出すことにより、オペレータの作業負荷を軽減することができる。
【図面の簡単な説明】
【００７８】
【図１】本発明の実施例に係わる番組収録システムの系統図。
【図２】本発明の実施例に係わる素材管理サーバの機能構成を説明するブロック図。
【図３】本発明の実施例に係わるビデオサーバの機能構成を説明するブロック図。
【図４】番組収録システムの素材管理サーバの管理テーブル図。
【図５】番組時刻表の例。
【図６】本発明の実施例に係わる番組収録システムの動作手順を示すフローチャート。
【図７】従来の番組収録システムの系統図。
【図８】従来の番組収録システムで用いる管理表の表示例。
【符号の説明】
【００７９】
１Ａ、１Ｂ．．  符号化装置（ＥＮＣ）
１１  通信ＩＦ（インタフェース）
１２  制御部
１３  入出力部
１４  記憶部
１５  記憶部
Ｔ  管理テーブル
２Ａ、２Ｂ．．  ビデオサーバ
２１  ＣＰＵ
２２  記憶装置
２３、６１  通信ＩＦ（インタフェース）
２４ｉ、２４ｏ  ＩＯ（入出力）部
２５、Ｂ  内部バス
２６  復調部
３  端末
４  制御網
５  データリンク
６  素材管理サーバ
６２  制御部
６３  入出力部
６４  記憶部
Ｔ  管理テーブル
７  スイッチャ
８  ＡＰＣ（自動番組送出設備）
９  局内時計
【図１】
2007300425.tif 000003
【図２】
2007300425.tif 000004
【図３】
2007300425.tif 000005
【図４】
2007300425.tif 000006
【図５】
2007300425.tif 000007
【図６】
2007300425.tif 000008
【図７】
2007300425.tif 000009
【図８】
2007300425.tif 000010